(57)【要約】【課題】配線ダクトの小型化を可能にし、これによってテーブル什器の収容空間を広く出来るようにした、テーブル什器及びテーブル装置を提供する。【解決手段】天板支持体４と、天板５と、天板５の左右方向に形成された配線挿通用開口部６と、配線挿通用開口部６の下方に形成された配線ダクトとを有し、天板５の下方に移動什器が収容されるように構成されたテーブル什器である。配線ダクト７は、前後に離間して配設された一対の側板部材１８と、側板部材１８の下端部間に架設された底部材２２とを有してなる。一対の側板部材１８が、配線挿通用開口部６の前側開口縁６ａおよび後側開口縁６ｂのそれぞれの下方位置に配置され、その上端縁が、対向する前側開口縁６ａの下端あるいは後側開口縁６ｂの下端から所定寸法離間するように配設されたことにより、天板５の下面と側板部材１８の上端との間に空隙部２０が形成されている。【選択図】図３
2015080629.tif 000002
【特許請求の範囲】
【請求項１】
床面上に立設される天板支持体と、前記天板支持体上に支持された天板と、前記天板の左右方向に沿って形成された長孔形状の配線挿通用開口部と、前記天板の前記配線挿通用開口部の下方に該配線挿通用開口部に連通して前記天板の左右方向に沿って形成された配線ダクトと、を有してなり、前記天板の下方の空間部に移動什器の少なくとも一部が収容されるように構成されたテーブル什器であって、
前記配線ダクトは、前記天板の左右方向に沿って配設され、かつ床面に対して略垂直に配置されるとともに、前後に離間して配設された一対の側板部材と、これら側板部材の下端部間に架設された底部材とを有してなり、
前記一対の側板部材が、前記配線挿通用開口部の前側開口縁および後側開口縁のそれぞれの下方位置に配置され、その上端縁の少なくとも一部が、対向する前記配線挿通用開口部の前側開口縁の下端あるいは後側開口縁の下端から所定寸法離間するように配設されたことにより、前記天板の下面と前記側板部材の上端との間に空隙部が形成されていることを特徴とするテーブル什器。
【請求項２】
前記配線挿通用開口部が、前記天板の前後方向における中央部に配置されていることを特徴とする請求項１記載のテーブル什器。
【請求項３】
前記空隙部が、前記配線挿通用開口部の直下のみに形成されていることを特徴とする請求項１又は２に記載のテーブル什器。
【請求項４】
前記配線挿通用開口部にカバー部材が開閉可能かつ着脱可能に取り付けられ、
前記カバー部材は、少なくとも前記配線挿通用開口部の長辺に対向する側縁部が、可撓性を有していることを特徴とする請求項１〜３のいずれか一項に記載のテーブル什器。
【請求項５】
前記一対の側板部材には、それぞれの上端部に、少なくとも前記天板の前後方向外側に折曲し、その後下方に折曲する上部折曲部が設けられていることを特徴とする請求項１〜４のいずれか一項に記載のテーブル什器。
【請求項６】
請求項１〜５のいずれか一項に記載のテーブル什器と、
前記天板の下方の空間部に少なくとも一部が収容されるように構成された移動什器と、
を備えることを特徴とするテーブル装置。
【発明の詳細な説明】
【技術分野】
【０００１】
本発明は、オフィスや病院、公共施設等における執務空間において、ワゴンやカート等の移動什器と組合せて使用されるテーブル什器、及び移動什器を備えたテーブル装置に関する。
【背景技術】
【０００２】
オフィスや病院、公共施設等における執務空間においては、作業に必要な物品や電子機器を載置出来るワゴンやカート等の移動什器が多く使用されている。
移動什器としては、物品載置面を形成することにより、この物品載置面上に電子機器等を載置して使用出来るようにしたものが多く見られる（例えば、特許文献１、特許文献２参照）。このため、載置して使用する電子機器に対して、電源を供給する必要が生じている。
【０００３】
このような背景のもとに近年では、テーブル什器として、天板にその上面に開口する配線取出し口を形成し、配線取出し口の下方に配線収容空間を形成し、この配線収容空間に執務空間内に設置された電源から引かれた配線を収容するようにしたものが提案されている。このようなテーブル什器にあっては、その天板下方の空間（収容空間）に電子機器が載置された移動什器の少なくとも一部を配置（収容）して互いに組合せることにより、移動什器に載置された電子機器にテーブル什器から電源を供給出来るようにしている。このような構造のテーブル什器によれば、このテーブル什器に移動什器を組合せた（収容した）際においても、組み合わせた什器全体の占有スペースを小さく収めることが出来ると共に、移動什器に載置された電子機器に電源を容易に供給することが出来る。
【先行技術文献】
【特許文献】
【０００４】
【特許文献１】特開２００９−２７９４１４号公報
【特許文献２】特開２０１３−１７７０９号公報
【発明の概要】
【発明が解決しようとする課題】
【０００５】
ところが、一般的に執務空間に設置出来るテーブル什器のサイズは限定されてしまうため、テーブル什器の天板下方に配設する配線収納空間を充分に大きくしてしまうと、相対的に移動什器を収容して組み合わせるための天板下方の収容空間が小さく（狭く）なってしまう。
しかしながら、配線収納空間には配線類を収容する以外にも種々の機能が要求されるため、このような配線収納空間を形成する配線ダクトを単純に小型化するのは困難である。
【０００６】
本発明は前記事情に鑑みてなされたもので、配線ダクトの小型化を可能にし、これによってテーブル什器の収容空間を広く出来るようにした、テーブル什器及びテーブル装置を提供することを目的とする。
【課題を解決するための手段】
【０００７】
本発明のテーブル什器は、床面上に立設される天板支持体と、前記天板支持体上に支持された天板と、前記天板の左右方向に沿って形成された長孔形状の配線挿通用開口部と、前記天板の前記配線挿通用開口部の下方に該配線挿通用開口部に連通して前記天板の左右方向に沿って形成された配線ダクトと、を有してなり、前記天板の下方の空間部に移動什器の少なくとも一部が収容されるように構成されたテーブル什器であって、前記配線ダクトは、前記天板の左右方向に沿って配設され、かつ床面に対して略垂直に配置されるとともに、前後に離間して配設された一対の側板部材と、これら側板部材の下端部間に架設された底部材とを有してなり、前記一対の側板部材が、前記配線挿通用開口部の前側開口縁および後側開口縁のそれぞれの下方位置に配置され、その上端縁の少なくとも一部が、対向する前記配線挿通用開口部の前側開口縁の下端あるいは後側開口縁の下端から所定寸法離間するように配設されたことにより、前記天板の下面と前記側板部材の上端との間に空隙部が形成されていることを特徴とする。
【０００８】
このテーブル什器によれば、配線ダクトを構成する一対の側板部材を、前記配線挿通用開口部の前側開口縁および後側開口縁のそれぞれの下方位置に配置しているので、配線ダクトの前後方向の幅を、配線挿通用開口部の前後方向の幅と略同一の狭い幅にすることが出来る。したがって、このように配線ダクトの幅を狭くしてこれを小型化した分、天板下方の移動什器を組み合わせる（収容する）ための収容空間を広くすることが出来る。
また、天板の下面と側板部材の上端との間に空隙部を形成したので、この空隙部を例えばクランプ部材の取付用などとして利用することにより、このクランプ部材を介して種々のオプション部材を天板上に取り付けることが出来る。すなわち、配線ダクトによって形成される配線収納空間を、配線類を収容すること以外にも有効利用することが出来る。
【０００９】
また、前記テーブル什器においては、前記配線挿通用開口部が、前記天板の前後方向における中央部に配置されていることを特徴とする。
この構成によれば、配線ダクトも天板の前後方向における中央部に配置することになるので、天板下方の移動什器を組み合わせるための収容空間を、天板の前側と後側とで同じ広さにすることができ、したがって移動什器を天板の前側にも後側にも同様に組み合わせることが出来る。
【００１０】
また、前記テーブル什器においては、前記空隙部が、前記配線挿通用開口部の直下のみに形成されていることを特徴とする。
この構成によれば、実際に配線挿通用開口部にクランプ部材等を取り付ける際に利用される部位にのみ、空隙部を形成するので、その他の部位では空隙部を形成することなく、側板部材の上端縁を天板下面に当接する位置まで上げることが出来る。したがって、側板部材の取り付けの際の位置決めなどを容易にすることが出来る。
【００１１】
また、前記テーブル什器においては、前記配線挿通用開口部にカバー部材が開閉可能かつ着脱可能に取り付けられ、前記カバー部材は、少なくとも前記配線挿通用開口部の長辺に対向する側縁部が、可撓性を有していることを特徴とする。
この構成によれば、カバー部材の側縁部が可撓性を有しているので、配線挿通用開口部にクランプ部材を取り付けた際、カバー部材の側縁部を撓ませることにより、クランプ部材を取り付けた状態で配線挿通用開口部にカバー部材を取り付けることが出来る。
【００１２】
また、前記テーブル什器において、前記一対の側板部材には、それぞれの上端部に、少なくとも前記天板の前後方向外側に折曲し、その後下方に折曲する上部折曲部が設けられていることを特徴とする。
この構成によれば、上部折曲部によって前記空隙部を覆うことができ、したがってテーブル什器の前後方向外方から前記空隙部が見えるのを防止して見映えを良くすることが出来る。
【００１３】
本発明のテーブル装置は、前記のテーブル什器と、前記天板の下方の空間部に少なくとも一部が収容されるように構成された移動什器と、を備えることを特徴とする。
このテーブル装置によれば、前記テーブル什器を備えているので、前述したように移動什器の収容空間を広くすることが出来、また、空隙部を形成したことにより、例えばクランプ部材を介して種々のオプション部材を天板上に取り付けることが出来る。
【発明の効果】
【００１４】
本発明によれば、配線ダクトの小型化を可能にし、これによってテーブル什器の天板下方における移動什器を収容するための収容空間を広くすることが出来る。
【図面の簡単な説明】
【００１５】
【図１】本発明に係るテーブル装置の一実施形態の概略構成を示す斜視図である。
【図２】テーブル什器の正面図である。
【図３】テーブル什器の側断面図である。
【図４】テーブル什器の平面図である。
【図５】テーブル什器の正面の要部断面図である。
【図６】（ａ）は実施形態のテーブル什器の使用状態を説明するため要部側断面図、（ｂ）は従来のテーブル什器の使用状態を説明するための要部側断面図である。
【図７】移動什器の概略構成を示す斜視図である。
【図８】移動什器の使用形態を示す側面図である。
【図９】本発明に係るテーブル什器の他の実施形態の概略構成を示す要部斜視図である。
【発明を実施するための形態】
【００１６】
以下、本発明に係るテーブル什器及びテーブル装置の実施形態を図面に基づいて詳しく説明する。
なお、以下の説明においては、テーブル什器２における略矩形状の天板５の長辺の長さ方向を左右方向、天板５の短辺の長さ方向を前後方向と記す。
【００１７】
図１は、本発明に係るテーブル装置の一実施形態の概略構成を示す斜視図であり、図１中符号１はテーブル装置である。このデスク装置１は、テーブル什器２と、このテーブル什器２に組み合わされて用いられる移動什器３とを備えて構成されている。
【００１８】
テーブル什器２は、本発明に係るテーブル什器の一実施形態となるもので、床面上に左右に離間して立設され、配設された一対の天板支持体４、４と、これら天板支持体４、４上に支持された天板５と、天板５に形成された二つの配線挿通用開口部６と、天板５の下方でかつ配線挿通用開口部６の下方に配設された配線ダクト７と、を有して構成されている。
【００１９】
天板支持体４は、脚体として機能するもので、テーブル什器２の正面図である図２、およびテーブル什器２の側断面図である図３に示すように、床面上にて前後方向に沿って延びる脚底部８と、この脚底部８上に立てて配置された柱状の脚本体９と、この脚本体９上にて前後方向に沿って延び、天板５を支持する横梁部１０と、によって形成されている。
【００２０】
天板５は、テーブル什器２の平面図である図４に示すように、矩形の一方の短辺を外側に凸となるように湾曲させた略矩形状のもので、その前後方向における中央部に、長孔形状（平面視略矩形状）の配線挿通用開口部６を二つ、それぞれ天板５の左右方向に沿って形成している。これら配線挿通用開口部６は、移動什器３に載せられた電子機器や天板５上に配置される電子機器の電源となる配線コード類を、天板５上に臨ませるためのものである。なお、本実施形態では図１中に二点鎖線で示すように、矩形の他方の短辺側の天板５上に、フレーム５０を介してモニター５１が配設されている。
【００２１】
前記配線挿通用開口部６には、図１、図３に示すように合成樹脂等よりなる平板状のカバー部材１２、１２が開閉可能に取り付けられ、覆われている。
カバー部材１２は、図３に示すように配線挿通用開口部６下方の左右に配置された一対の支持ブラケット１３の上端に支持された前後一対の支軸１４、１４に、対向端部の係合溝１５が上下方向に回動可能、かつ着脱可能に係合して取り付けられている。左右の支持ブラケット１３は、配線ダクト７内の対応する位置（配線挿通用開口部６下方の左右位置）にそれぞれ設けられた支持部１６に、ネジ１７、１７によって固定されている。
【００２２】
ここで、カバー部材１２は、少なくともその外周側、すなわち配線挿通用開口部６の長辺に対向する側縁部１２ａが、可撓性を有する軟質の合成樹脂によって形成されている。これにより、カバー部材１２は図３中の左側に二点鎖線で示すように全体を開かなくても、図３中の右側に二点鎖線で示すように側縁部１２ａを上側に撓ませることにより、配線挿通用開口部６の一部を開口させることが出来る。したがって、この開口に配線や後述するクランプ部材の一部を通すことにより、カバー部材１２を取り付けた状態で配線やクランプ部材を配線ダクト７内に引き込むことが可能になっている。
【００２３】
配線ダクト７は、前記配線挿通用開口部６と上下方向に連通する開口が形成されるように、互いに前後に離間して配置された一対の側板部材１８、１８を有して構成されている。これら一対の側板部材１８、１８は、天板５の左右方向に沿って配設され、かつ床面に対して略垂直に配置されている。また、これら一対の側板部材１８、１８は、配線挿通用開口部６の前側開口縁６ａおよび後側開口縁６ｂのそれぞれの下方位置に配置されている。すなわち、一方の側板部材１８が配線挿通用開口部６の前側開口縁６ａの下方位置に配置され、他方の側板部材１８が配線挿通用開口部６の後側開口縁６ｂの下方位置に配置されている。
【００２４】
各側板部材１８には、その上端部に前後方向外側に折曲してなる上部折曲部１９が形成されており、この上部折曲部１９はその一部が天板５の下面に当接している。上部折曲部１９は、天板５の前後方向外側に折曲した後、下方に折曲し、さらに前後方向内側に折曲し、その後上方に折曲しており、これによって上部折曲部１９の端縁が外側に露出しないようになっている。この上部折曲部１９の、天板５の前後方向外側に折曲した後、下方に折曲した部位１９ａは、その高さ方向の幅が、後述する側板部材１８の空隙部２０の、高さ方向の幅と略同一、あるいはこれ以上に形成されている。
【００２５】
また、側板部材１８には、その左右両端部にそれぞれ外側に折曲する外向折曲片（図示せず）が形成されており、これら外向折曲片は左右の天板支持体４、４の上部内面にネジ止めによって固定されている。これにより、各側板部材１８は図２に示すように左右の天板支持体４、４間に架設され、したがって配線ダクト７は天板５の左右方向に沿って天板支持体４、４間に形成されている。
【００２６】
また、一対の側板部材１８、１８には、図２、図３、およびテーブル什器２の正面の要部断面図である図５に示すように、その上端部、すなわち上部折曲部１９の前後方向外側に折曲する位置より下側に空隙部２０が形成されている。空隙部２０は、側板部材１８の上端縁が対向する配線挿通用開口部６の前側開口縁６ａの下端、あるいは後側開口縁６ｂの下端から所定寸法離間するように、側板部材１８の上端部が例えば数ｃｍ〜十数ｃｍ程度部分的に切り欠かれたことにより、天板５の下面との側板部材１８の上端縁との間に形成されている。また、本実施形態では、空隙部２０は図２中に破線で示すように、配線挿通用開口部６の直下のみに選択的に形成されている。
【００２７】
このように天板５の下面と側板部材１８との間には、配線挿通用開口部６の左右方向に沿って空隙部２０が形成されている。この空隙部２０には、図５、および使用状態を説明するためのテーブル什器２の要部側断面図である図６（ａ）に示すように、一対の把持部５２ａ、５２ａを有した側面視コ字状のクランプ部材５２の、一方の把持部５２ａが挿通されるようになっている。このようにクランプ部材５２の一方の把持部５２ａを空隙部２０内に挿通し、クランプ部材５２の他方の把持部５２ａを天板５の上面に当接させてネジ部を締め付け、天板５における配線挿通用開口部６の開口縁部を挟持することにより、このクランプ部材５２を介して例えばディスプレイのアームや照明等を天板５上に固定することが可能になる。
【００２８】
なお、空隙部２０の高さ方向の幅は、前述したように上部折曲部１９の下方に折曲した部位１９ａの高さ方向の幅と略同一、あるいはこれ以下に形成されているので、空隙部２０は上部折曲部１９によってほぼ覆われる。したがって、図２に示すように空隙部２０は、テーブル什器１０の前後方向外方から見えないように、上部折曲部１９によって目隠しされている。
【００２９】
また、各側板部材１８には、図３に示すようにそれぞれの下端部に前後方向内側に折曲してなる下部折曲部２１が形成されている。これら下部折曲部２１は、配線ダクト７の底部の一部を形成するとともに、底部材２２を架設するための支持部となっている。すなわち、下部折曲部２１は、天板５の前後方向内側に折曲した後、上方に折曲し、さらに前後方向外側に折曲している。
【００３０】
底部材２２は、前後方向両側に折曲部２２ａ、２２ａを形成した細板状のもので、これら折曲部２２ａ、２２ａがそれぞれ側板部材１８の前記下部折曲部２１に係合したことにより、一対の側板部材１８、１８間に係止した状態で架設されている。本実施形態では、底部材２２は下部折曲部２１にネジ止めされたことにより、側板部材１８、１８間に架設され、保持固定されている。
【００３１】
このような構成からなる配線ダクト７には、底部材２２上、あるいは側板部材１８の下部折曲部２１上に、配線コード類が引き回されるようになっている。例えば、床面等に設けられた電源に接続するテーブルタップなどが天板支持体４側から配線ダクト７内に引き込まれ、底部材２２や側板部材１８の下部折曲部２１上に収容されることにより、移動什器３に載せられた電子機器や天板５上に配置される電子機器、照明装置等の配線は、天板５上を引き回されることなく、配線挿通用開口部６を通って配線ダクト７内のテーブルタップなどに、容易に、かつ収まり良く接続出来るようになっている。
【００３２】
このような配線ダクト７を有してなるテーブル什器２では、前記天板５の下方の空間部における、配線ダクト７の前後の空間部を、図１に示したように移動什器３の収容空間４０としている。その際、本実施形態では、図６（ａ）に示すように配線ダクト７を構成する一対の側板部材１８、１８を、配線挿通用開口部６の前側開口縁６ａおよび後側開口縁６ｂのそれぞれの下方位置に配置しているので、配線ダクト７の前後方向の幅を、配線挿通用開口部６の前後方向の幅と略同一の狭い幅にすることが出来る。
【００３３】
したがって、このように配線ダクト７の幅を狭くしてこれを小型化した分、天板５の下方の前記収容空間４０を広くすることが出来る。
すなわち、従来では図６（ｂ）に示すように、クランプ部材５２の一方の把持部５２ａを天板５の下面に当接させる必要上、一対の側板部材５３、５３を、配線挿通用開口部６の前側開口縁６ａおよび後側開口縁６ｂのそれぞれの下方位置に配置することなく、各開口縁６ａ、６ｂより所定寸法外側の下方位置に配置している。
【００３４】
これにより、クランプ部材５２を配線挿通用開口部６の開口縁部を取り付ける際、一方の把持部５２ａを、側板部材５３に干渉されることなく天板５の下面に当接させることが出来る。ところが、側板部材５３、５３を配線挿通用開口部６の前記各開口縁６ａ、６ｂより外側の下方位置に配置しているので、移動什器３を収容するための天板５の下方の収容空間４０は、側板部材５３、５３によって制限されることにより、狭くなっている。
【００３５】
これに対して本実施形態では、図６（ａ）に示すように一対の側板部材１８、１８を、配線挿通用開口部６の前側開口縁６ａおよび後側開口縁６ｂのそれぞれの下方位置に配置しているので、前述したように配線ダクト７の前後方向の幅を狭くすることができ、これによって天板５の下方の前記収容空間４０を広くすることが出来る。
【００３６】
また、このように配線ダクト７の前後方向の幅を狭くして配線ダクト７を小型化したにもかかわらず、天板５の下面と側板部材１８の上端との間に空隙部２０を形成したので、この空隙部２０にクランプ部材５２の一方の把持部５２ａを挿通して天板５の下面に当接させ、他方の把持部５２ａを天板５の上面に当接させることにより、配線挿通用開口部６の開口縁部にクランプ部材５２を挟持させてここに固定することが出来る。したがって、このクランプ部材５２に例えばディスプレイのアームや照明等を取り付けることにより、従来と同様にディスプレイや照明等を天板５上に固定配置することが出来る。
【００３７】
前記収容空間４０に収容される移動什器３としては、特に限定されることなく従来公知の種々のものが使用可能であり、例えば前記特許文献２（特開２０１３−１７７０９号公報）に開示されたカート装置が用いられる。
【００３８】
この移動什器３（カート装置）は、図７に示すように最下部を構成するベース部６０と、このベース部６０から突出して上方へ延びる支持基体６１と、支持基体６１の高さ方向中間部に設けられた複数の収納部材６２と、支持基体６１の上端部に設けられた上板６３と、上板６３から水平方向へ突出して設けられた操作ハンドル部６４と、上板６３から上方へ突出して設けられた電子機器ユニット６５と、を備えるものである。
【００３９】
このような移動什器３では、電子機器ユニット６５とは別に、例えばその上板６３上に異なる電子機器（図示せず）が載置され、使用出来るようになっている。
また、このような移動什器３は、これを使用する執務者によって移動させられるが、その際、例えば執務者どうしが前記テーブル什器２を囲んで打ち合わせなどを行う場合、図１、図８に示すように移動什器３の一部、例えば上板６３より下側でかつ前面側が前記テーブル什器２の収容空間４０に収容されて用いられる。
【００４０】
このように移動什器３の一部を収容空間４０に収容することで、テーブル什器２が置かれた部屋（執務空間）を効率的に用いることができ、また、電子機器ユニット６５や上板６３上に載置された電子機器の電源を、テーブル什器２の配線ダクト７内から容易にとることが出来る。すなわち、電子機器ユニット６５や電子機器の配線を床面上に這わすことなく、また、室内設けられた電源にまで引き回すことなく、天板５の配線挿通用開口部６内（配線ダクト７内）に引き回されている電源に容易に接続することが出来る。
【００４１】
本実施形態のテーブル什器２およびテーブル装置１にあっては、前述したように配線ダクト７の前後方向の幅を狭くしてこれを小型化したので、天板５の下方の前記収容空間４０を広くすることが出来る。したがって、収容空間４０をより有効利用することができ、テーブル什器２の使い勝手を良好なものとすることが出来る。
【００４２】
また、天板５の下面と側板部材１８の上端との間に空隙部２０を形成したので、この空隙部２０をクランプ部材５２の取付用として利用することにより、このクランプ部材５２を介して種々のオプション部材を天板５上に取り付けることが出来る。すなわち、配線ダクト７によって形成される配線収納空間を、配線類を収容すること以外にも有効利用することが出来る。
【００４３】
また、空隙部２０は、クランプ部材５２を取り付けるためだけでなく、例えば配線類を通すためにも利用することが出来る。例えば、図７、図８に示した移動什器３ではその一部を収容空間４０に収容するようにしているが、このように収容空間４０に収容される前記収納部材６２上に電子機器を載置している場合には、この電子機器の電源をとるため、前記空隙部２０に配線を通すことが出来る。その際、例えば配線ダクト７内から空隙部２０を通してテーブルタップを引き出し、側板部材１８の側面や天板５の下面に固定しておくことにより、収納部材６２上の電子機器の電源を容易にとることが出来る。また、電子機器側の配線を空隙部２０に通し、配線ダクト７内に配置されたテーブルタップに接続することも出来る。
【００４４】
また、配線挿通用開口部６を、天板５の前後方向における中央部に配置しているので、配線ダクト７も天板５の前後方向における中央部に配置することになり、したがって天板５の下方の収容空間４０を、天板５の前側と後側とで同じ広さにすることが出来る。よって、移動什器３を天板の前側にも後側にも同様に組み合わせることができ、テーブル什器２の使い勝手をより良好にすることが出来る。
【００４５】
また、空隙部２０を、配線挿通用開口部６の直下のみに形成し、したがって実際に配線挿通用開口部６にクランプ部材５２等を取り付ける際に利用される部位にのみ、空隙部２０を形成してその他の部位では空隙部を形成しないため、側板部材１８の上端縁を天板５の下面に当接する位置まで上げることが出来る。したがって、側板部材１８を天板５の下方に取り付ける際、側板部材１８の空隙部２０を形成していない部位の上端縁を天板５の下面に当接させることにより、側板部材１８の位置決めを容易にしてその取り付けも容易にすることが出来る。また、側板部材１８の強度を高くすることで、配線ダクト７の強度を高くすることが出来る。
【００４６】
また、配線挿通用開口部６に取り付けるカバー部材１２の側縁部１２ａを可撓性にしているので、配線挿通用開口部６にクランプ部材５２を取り付けた際、カバー部材１２の側縁部１２ａを撓ませることにより、クランプ部材５２を取り付けた状態で配線挿通用開口部６にカバー部材１２を取り付けることが出来る。これにより、配線ダクト７内が露出することで見映えが悪くなったり、配線ダクト７内に筆記具やその他の異物が入り込むことを防止することが出来る。
【００４７】
また、一対の側板部材１８、１８にそれぞれ上部折曲部１９を設けているので、これら上部折曲部１９、１９によって側板部材１８、１８の空隙部２０を覆うことができ、したがってテーブル什器２の前後方向外方から空隙部２０が見えるのを防止して見映えを良くすることが出来る。
【００４８】
なお、本発明は前記実施形態に限定されることなく、本発明の主旨を逸脱しない範囲で種々の変更が可能である。
例えば、前記実施形態では空隙部２０を配線挿通用開口部６の左右方向全域に渡ってその直下に形成したが、配線挿通用開口部６の左右方向全域に渡って形成することなく、その一部のみに形成するようにしてもよい。
【００４９】
また、前記実施形態では配線挿通用開口部６を天板５の左右方向の一部に形成したが、図９に示すように配線挿通用開口部６を天板５の左右方向全域に渡って形成してもよい。その場合、この配線挿通用開口部６に連通してこれの下方に配設される配線ダクト７については、その側板部材４２、４２の上端部を左右方向全域に渡って切り欠き、これによって天板５の左右方向全域に渡って空隙部２０を形成するのが好ましい。このように構成することにより、天板５の左右方向の任意の位置において、クランプ部材５２を介してオプション部材を取り付けることが出来、したがってテーブル什器としての使い勝手をより良好にすることが出来る。
【００５０】
また、前記実施形態では配線挿通用開口部６を天板５の前後方向における中央部に配置し、これによって配線ダクト７も天板５の前後方向における中央部に配置したが、配線挿通用開口部６を天板５の前後方向における一方の側に偏って配置し、これによって配線ダクト７も一方の側に偏って配置してもよい。
【００５１】
移動什器３は、必ずしも全て同じ大きさに形成されてはおらず、機種によって相対的に大型のものと小型のものとがある。その場合に、前述したように配線ダクト７を一方の側に偏って配置し、天板５の前後方向で収納空間４０の大きさを異ならせることにより、大きさの異なる移動什器３を対応する大きさの収容空間４０にそれぞれ収容することが出来る。したがって、移動什器３を効率的に組み合わせることが出来るため、テーブル装置としての使い勝手をより良好にすることが出来る。
【符号の説明】
【００５２】
１…テーブル装置、２…テーブル什器、３…移動什器、４…天板支持体、５…天板、６…配線挿通用開口部、６ａ…前側開口縁、６ｂ…後側開口縁、７…配線ダクト、１２…カバー部材、１８…側板部材、１９…上側折曲部、２０…空隙部、２２…底部材、４０…収容空間
【図１】
2015080629.tif 000003
【図２】
2015080629.tif 000004
【図３】
2015080629.tif 000005
【図４】
2015080629.tif 000006
【図５】
2015080629.tif 000007
【図６】
2015080629.tif 000008
【図７】
2015080629.tif 000009
【図８】
2015080629.tif 000010
【図９】
2015080629.tif 000011